(57)【要約】【課題】  入力ＴＤＭ信号及びパケットに関し、種々のスイッチングに対応できる小形、簡易な構成の伝送信号処理装置を提供する。【解決手段】  本発明の伝送信号処理装置は、ＭＰＬＳ−ＴＰ方式に従うパケットをスイッチングするスイッチと、入力ＴＤＭ信号を入力処理するＴＤＭ入力ＩＦ部と、スイッチからのパケットをデパケット化して得たＴＤＭ信号の出力処理を行うＴＤＭ出力ＩＦ部と、入力パケットを入力処理してスイッチに与えるパケット入力ＩＦ部と、スイッチからのパケットを出力処理するパケット出力ＩＦ部とを備える。ＴＤＭ入力ＩＦ部は、入力ＴＤＭ信号を、スイッチからの宛先ＩＦ部がＴＤＭ出力ＩＦ部である場合にはそのＴＤＭ出力ＩＦ部内での回線特定情報を付与したパケットにパケット化してスイッチに与える。【選択図】      図１
2014192598.tif 000002
【特許請求の範囲】
【請求項１】
所定フォーマットのパケットをスイッチングするパケットスイッチと、
到来したＴＤＭ信号を入力処理するＴＤＭ入力インタフェース部と、
上記パケットスイッチからのパケットをデパケット化して得たＴＤＭ信号の出力処理を行うＴＤＭ出力インタフェース部と、
到来したパケットを入力処理して上記パケットスイッチに与えるパケット入力インタフェース部と、
上記パケットスイッチから与えられたパケットを出力処理するパケット出力インタフェース部とを備え、
上記ＴＤＭ入力インタフェース部は、到来したＴＤＭ信号を上記所定フォーマットのパケットに、しかも、上記パケットスイッチからの宛先インタフェース部が上記ＴＤＭ出力インタフェース部である場合には、上記ＴＤＭ出力インタフェース部内での回線特定情報を付与したパケットにパケット化して上記パケットスイッチに与えるパケット化手段を有する
ことを特徴とする伝送信号処理装置。
【請求項２】
上記所定フォーマットのパケットは、ＭＰＬＳ−ＴＰパケット転送方式に従うパケットであり、上記回線特定情報は、ＭＰＬＳ−ＴＰヘッダのＬａｂｅｌフィールドに付与されていることを特徴とする請求項１に記載の伝送信号処理装置。
【請求項３】
上記パケットのイーサネットヘッダのＴｙｐｅフィールドには、Ｌａｂｅｌフィールドに上記回線特定情報が付与されているか否かを区別する値が付与されていることを特徴とする請求項２に記載の伝送信号処理装置。
【発明の詳細な説明】
【技術分野】
【０００１】
本発明は、ＴＤＭ（Ｔｉｍｅ  Ｄｉｖｉｓｉｏｎ  Ｍｕｌｔｉｐｌｅｘｉｎｇ；時分割多重）信号及びパケットのスイッチングを行うことができる伝送信号処理装置に関するものである。
【背景技術】
【０００２】
特許文献１には、同期網用のＴＤＭ信号と非同期網用のパケットとを同一装置内で効率的にスイッチングできる装置が記載されている。しかしながら、特許文献１の記載装置は、単なるスイッチングを意図したものであり、ＴＤＭ信号及びパケット間のフォーマット変換を実行できないものである。そのため、ＴＤＭ信号を非同期網に送出するためには、フォーマット変換を行う別な装置を用意しなければならない。
【０００３】
特許文献２には、ＴＤＭ信号をパケットに変換できる装置が記載されている。特許文献２の記載装置は、ＴＤＭインタフェース部、パケット／デパケット化部及びパケットインタフェース部を有し、ＴＤＭインタフェース部とパケット／デパケット化部との間は時間スイッチで、パケット／デパケット化部とパケットインタフェース部との間はパケットスイッチでそれぞれスイッチングを行うものであった。
【先行技術文献】
【特許文献】
【０００４】
【特許文献１】特開２００３−２８９３２４号公報
【特許文献２】特開２０１１−０４４９７３号公報
【発明の概要】
【発明が解決しようとする課題】
【０００５】
しかしながら、特許文献２は、ＴＤＭポートとパケットポート間のスイッチングについてのみ記載しており、ＴＤＭポート相互間のスイッチングや、パケットポート相互間のスイッチングについては、どのように行うかを言及していない。また、特許文献２の記載技術は、時間スイッチとパケットスイッチの２つのスイッチを適用しており、全体構成が大形、複雑になっていた。
【０００６】
そのため、種々のスイッチングに対応できる、小形、簡易な構成の伝送信号処理装置が望まれている。
【課題を解決するための手段】
【０００７】
本発明の伝送信号処理装置は、（１）所定フォーマットのパケットをスイッチングするパケットスイッチと、（２）到来したＴＤＭ信号を入力処理するＴＤＭ入力インタフェース部と、（３）上記パケットスイッチからのパケットをデパケット化して得たＴＤＭ信号の出力処理を行うＴＤＭ出力インタフェース部と、（４）到来したパケットを入力処理して上記パケットスイッチに与えるパケット入力インタフェース部と、（５）上記パケットスイッチから与えられたパケットを出力処理するパケット出力インタフェース部とを備え、（６）上記ＴＤＭ入力インタフェース部は、到来したＴＤＭ信号を上記所定フォーマットのパケットに、しかも、上記パケットスイッチからの宛先インタフェース部が上記ＴＤＭ出力インタフェース部である場合には、上記ＴＤＭ出力インタフェース部内での回線特定情報を付与したパケットにパケット化して上記パケットスイッチに与えるパケット化手段を有することを特徴とする。
【発明の効果】
【０００８】
本発明によれば、種々のスイッチングに対応できる、小形、簡易な構成の伝送信号処理装置を提供できる。
【図面の簡単な説明】
【０００９】
【図１】実施形態の伝送信号処理装置の構成を示すブロック図である。
【図２】実施形態の伝送信号処理装置における装置内パケットのフォーマットを示す説明図である。
【図３】実施形態の伝送信号処理装置のＴＤＭインタフェースボードにおける受信用テーブルの構成を示す説明図である。
【図４】実施形態の伝送信号処理装置のパケットインタフェースボードにおける受信用テーブルの構成を示す説明図である。
【図５】実施形態の伝送信号処理装置のＴＤＭインタフェースボードにおける送信用テーブルの構成を示す説明図である。
【図６】実施形態の伝送信号処理装置のパケットインタフェースボードにおける送信用テーブルの構成を示す説明図である。
【発明を実施するための形態】
【００１０】
（Ａ）主たる実施形態
以下、本発明による伝送信号処理装置の一実施形態を、図面を参照しながら詳述する。
【００１１】
（Ａ−１）実施形態の構成
図１は、実施形態の伝送信号処理装置１の構成を示すブロック図である。
【００１２】
図１において、実施形態の伝送信号処理装置１は、１又は複数のＴＤＭインタフェースボード１００（１００−１、１００−２）と、１又は複数のパケットインタフェースボード２００（２００−１、２００−２）と、パケットスイッチ３００とを有する。
【００１３】
ＴＤＭインタフェースボード１００は、ＴＤＭ信号を入出力するＴＤＭポートを収容しているものであり、ＴＤＭ受信処理部１０１とＴＤＭ送信処理部１０２とを有する。図１では、ＴＤＭインタフェースボード１００−１についてＴＤＭ受信処理部１０１を記載し、ＴＤＭインタフェースボード１００−２についてＴＤＭ送信処理部１０２を記載している。しかし、これは図１が信号の流れに重きをおいて描いているためであり、ＴＤＭインタフェースボード１００−１及び１００−２共に、ＴＤＭ受信処理部１０１及びＴＤＭ送信処理部１０２を有する。なお、図１におけるＴＤＭインタフェースボード１００−１及び１００−２が同じボードであっても良い。
【００１４】
ＴＤＭ受信処理部１０１は、到来したＴＤＭ信号４００の受信処理を行うＴＤＭ受信部１１０と、ＴＤＭ受信部１１０で受信処理されたＴＤＭ信号４０１のパケット化処理を行って装置内パケット５００（後述する図２参照）を生成するパケット化部１２０と、パケット化部１２０から与えられたヘッダ検索情報４０２に基づいてパケットのヘッダに挿入されるヘッダ情報４０３を取出してパケット化部１２０に返信する受信用テーブル１３０（後述する図３参照）とを有する。
【００１５】
ここで、ヘッダ検索情報４０２は、例えば、パケット化しようとするＴＤＭ信号のポート番号、パス番号及びチャネル番号である。また、ヘッダ情報４０３は、例えば、宛先ローカルアドレス、イーサネット（登録商標）ヘッダのＴｙｐｅ値及びＭＰＬＳ−ＴＰ（ＭｕｌｔｉＰｒｏｔｏｃｏｌ  Ｌａｂｅｌ  Ｓｗｉｔｃｈｉｎｇ−Ｔｒａｎｓｐｏｒｔ  Ｐｒｏｆｉｌｅ）ヘッダのＬａｂｅｌ値である。ローカルアドレスは、当該装置１０内のスイッチングをするために、各インタフェースボード１００−１、１００−２、２００−１、２００−２のスイッチインタフェースに付与した、装置内に閉じたアドレスである。
【００１６】
ＴＤＭ送信処理部１０２は、パケットスイッチ３００から受信した装置内パケット５０２をＴＤＭ信号４１０に変換するデパケット化部１４０と、デパケット化部１４０から与えられたヘッダ検索情報４１２に基づいてデパケット化されたＴＤＭ信号に盛り込まれるチャネル情報４１３を取出してデパケット化部１４０に返信する送信用テーブル１５０（後述する図５参照）と、デパケット化されたＴＤＭ信号４１０の送信処理を行ってＴＤＭ信号４１１を出力ポートから送信するＴＤＭ送信部１６０とを有する。
【００１７】
ここで、ヘッダ検索情報４１２は、例えば、送信元ローカルアドレス、イーサネットヘッダのＴｙｐｅ値及びＭＰＬＳ−ＴＰヘッダのＬａｂｅｌ値であり、ＴＤＭ信号のチャネル情報４１３は、例えば、ＴＤＭ信号に係るポート番号、パス番号及びチャネル番号である。
【００１８】
パケットインタフェースボード２００は、パケットを入出力するパケットポートを収容しているものであり、パケット受信処理部２０１とパケット送信処理部２０２とを有する。図１では、パケットインタフェースボード２００−１についてパケット受信処理部２０１を記載し、パケットインタフェースボード２００−２についてパケット送信処理部２０２を記載している。しかし、これは図１が信号の流れに重きをおいて描いているためであり、パケットインタフェースボード２００−１及び２００−２共に、パケット受信処理部２０１及びパケット送信処理部２０２を有する。なお、図１におけるパケットインタフェースボード２００−１及び２００−２が同じボードであっても良い。
【００１９】
パケット受信処理部２０１は、到来したパケット４２０の受信処理を行うパケット受信部２１０と、受信したパケット４２１のヘッダを付け替えて装置内パケット５０１を生成するヘッダ付け替え部２２０と、ヘッダ付け替え部２２０から与えられたヘッダ検索情報４２２に基づいて付け替え後の装置内パケット５０１に盛り込まれるヘッダ情報４２３を取出してヘッダ付け替え部２２０に返信する受信用テーブル２３０（後述する図４参照）とを有する。
【００２０】
ここで、ヘッダ検索情報４２２は、例えば、パケットの送信元ＭＡＣアドレス及びＭＰＬＳ−ＴＰヘッダのＬａｂｅｌ値であり、ヘッダ情報４２３は、例えば、宛先ローカルアドレス及びＭＰＬＳ−ＴＰヘッダのＬａｂｅｌ値である。
【００２１】
パケット送信処理部２０２は、パケットスイッチ３００から受信したパケット５０３のイーサネットヘッダの付け替えを行うヘッダ付け替え部２４０と、ヘッダ付け替え部２４０から与えられたヘッダ検索情報４３２に基づいてヘッダ情報４３３を取出してヘッダ付け替え部２４０に返信する送信用テーブル２５０（後述する図６参照）と、ヘッダ付け替え部２４０で生成されたパケット４３０の送信処理を行ってパケット４３１を出力ポートから送信するパケット送信部２６０とを有する。
【００２２】
ここで、ヘッダ検索情報４３２は、例えば、装置内パケット５０３の送信元ローカルアドレス及びＭＰＬＳ−ＴＰヘッダのＬａｂｅｌ値であり、ヘッダ情報４３３は、例えば、ＭＡＣアドレス及びＭＰＬＳ−ＴＰヘッダのＬａｂｅｌ値である。
【００２３】
パケットスイッチ３００は、ＴＤＭインタフェースボード１００から出力された装置内パケット５００やパケットインタフェースボード２００から出力された装置内パケット５０１のスイッチングを行い、装置内パケット５０１、５０２のイーサネットヘッダやＭＰＬＳ−ＴＰヘッダで定まるＴＤＭインタフェースボード１００若しくはパケットインタフェースボード２００に与えるものである。例えば、ＴＤＭインタフェースボード１００−１から出力された装置内パケット５００は、ＴＤＭインタフェースボード１００−２に与えられることもあれば、パケットインタフェースボード２００−２に与えられることもある。また例えば、パケットインタフェースボード２００−１から出力された装置内パケット５０１は、ＴＤＭインタフェースボード１００−２に与えられることもあれば、パケットインタフェースボード２００−２に与えられることもある。
【００２４】
図２は、パケットスイッチ３００でスイッチングされる装置内パケット（５００〜５０３）のフォーマットを示す説明図である。装置内パケットは、図２から明らかなように、ＭＰＬＳ−ＴＰパケット転送方式に従うパケット（以下、ＭＰＬＳパケットと呼ぶ）のフォーマットに従っている。なお、この実施形態の場合、パケットインタフェースボード２００−１に入力されるパケットやパケットインタフェースボード２００−２から出力されるパケットも、図２に示すフォーマットに従っている。
【００２５】
装置内パケットは、イーサネットヘッダ、ＭＰＬＳ−ＴＰヘッダ、ペイロード及びＦＣＳ（Ｆｌａｍｅ  Ｃｈｅｃｋ  Ｓｅｑｕｅｎｃｅ）からなる。イーサネットヘッダは、宛先ＭＡＣアドレス（ＤＡ）、送信元ＭＡＣアドレス（ＳＡ）及びＴｙｐｅ値のフィールドを有し、ＭＰＬＳ−ＴＰヘッダは、Ｌａｂｅｌ値、タイムコード（ＴＣ）、Ｓ値及びＴＴＬ（Ｔｉｍｅ  ＴＯ  Ｌｉｖｅ）値のフィルタを有する。ＴＤＭインタフェースボード１００−２へ向かう装置内パケットの場合、Ｌａｂｅｌ値にはダミーラベル値が挿入され、Ｔｙｐｅ値にはダミーラベル値が挿入されていることを表す値が挿入される。一方、パケットインタフェースボード２００−２へ向かう装置内パケットの場合、Ｌａｂｅｌ値には一般的なＭＰＬＳ−ＴＰラベルの値が挿入され、Ｔｙｐｅ値にはＭＰＬＳ−ＴＰラベルの有効な値が挿入されていることを表す値が挿入される。ＴＤＭインタフェースボード１００−１から出力された装置内パケットの場合、ペイロードにはＴＤＭ信号をパケット化したデータ（カプセル化パケット）が挿入され、パケットインタフェースボード２００−１から出力された装置内パケットの場合、ペイロードには当該ボードに入力された際のデータがそのまま挿入されている。
【００２６】
図３は、ＴＤＭインタフェースボード（１００−１）における受信用テーブル１３０の構成を示す説明図である。
【００２７】
受信用テーブル１３０は、入力情報が、ＴＤＭ信号のポート番号、パス番号、チャネル番号であり、出力情報が、宛先ローカルアドレス、イーサネットヘッダのＴｙｐｅ値、ＭＰＬＳ−ＴＰヘッダのＬａｂｅｌ値である。この実施形態の場合、イーサネットヘッダのＴｙｐｅ値は、パケットスイッチ３００による装置内パケットの宛先がＴＤＭインタフェースボード１００かパケットインタフェースボード２００かを区別できる情報となされている。宛先がパケットインタフェースボード２００の場合には、例えば、１行目に示すように、ＭＰＬＳパケットの場合に一般的に使われる「０ｘ８８４７」がイーサネットヘッダのＴｙｐｅ値のフィールドに格納され、宛先がＴＤＭインタフェースボード１００の場合には、例えば、２行目に示すように、無意味な固定値「０ｘＦＦＦＦ」が格納されている。図３における「ＤＬ１」はダミーラベル値の一つを表しており、宛先がいずれかのＴＤＭインタフェースボード１００の場合にダミーラベル値ＤＬ１が対応付けられている。
【００２８】
図４は、パケットインタフェースボード（２００−１）における受信用テーブル２３０の構成を示す説明図である。
【００２９】
受信用テーブル２３０は、入力情報が、送信元ＭＡＣアドレス、ＭＰＬＳ−ＴＰヘッダのＬａｂｅｌ値であり、出力情報が、宛先ローカルアドレス、ＭＰＬＳ−ＴＰヘッダのＬａｂｅｌ値である。図４の１行目はパケットスイッチ３００の出力をパケットインタフェースボード（２００−２）に与える場合を示しており、図４の２行目はパケットスイッチ３００の出力をＴＤＭインタフェースボード（１００−２）に与える場合を示しており、基本的には同様な変換であるが、前者の場合、Ｌａｂｅｌ値の変換も行われるが、後者の場合には、Ｌａｂｅｌ値の変換は実行されない点が異なっている。これは、パケットスイッチ３００の宛先がＴＤＭインタフェースボードの場合、ＴＤＭインタフェースボードでＬａｂｅｌ値から、ポート番号、パス番号、チャネル番号に変換する必要があるため、この例では、パケットインタフェースボードでＬａｂｅｌ値の変換を行わず、Ｌａｂｅｌ値を透過している。但し、装置内で管理しているユニークな値であれば、Ｌａｂｅｌ値を付け替えても良い。宛先がパケットインタフェースボードの場合には、送信元と宛先でＬａｂｅｌ値が異なるときに送信元で変換する構成としているため、Ｌａｂｅｌ値の変換を行っている。
【００３０】
図５は、ＴＤＭインタフェースボード（１００−２）における送信用テーブル１５０の構成を示す説明図である。
【００３１】
送信用テーブル１５０は、入力情報が、宛先ローカルアドレス、イーサネットヘッダのＴｙｐｅ値、ＭＰＬＳ−ＴＰヘッダのＬａｂｅｌ値であり、出力情報が、ＴＤＭ信号のポート番号、パス番号、チャネル番号である。１行目は、イーサネットヘッダのＴｙｐｅ値が「０ｘ８８４７」であってＭＰＬＳ−ＴＰヘッダのＬａｂｅｌ値に有効な値（ダミーラベルの値ではない）が挿入されているので、送信元ボードがパケットインタフェースボード（２００−１）の場合である。２行目は、イーサネットヘッダのＴｙｐｅ値が「０ｘＦＦＦＦ」であってＭＰＬＳ−ＴＰヘッダのＬａｂｅｌ値にダミーラベル値が挿入されているので、送信元ボードがＴＤＭインタフェースボード（１００−１）の場合である。
【００３２】
図６は、パケットインタフェースボード２００における送信用テーブル２５０の構成を示す説明図である。
【００３３】
送信用テーブル２５０は、入力情報が、送信元ローカルアドレス、イーサネットヘッダのＴｙｐｅ値、ＭＰＬＳ−ＴＰヘッダのＬａｂｅｌ値であり、出力情報は、ポート番号、宛先ＭＡＣアドレス、送信元ＭＡＣアドレスでなるヘッダ情報４３３である。
【００３４】
次に、ダミーラベルについて補足説明する。
【００３５】
ダミーラベルは、パケットスイッチ３００の宛先インタフェースボード内の回線を特定するために、ＭＰＬＳ−ＴＰヘッダのＬａｂｅｌ値フィールドに付与される、当該装置内に閉じたラベルの値である。ＴＤＭインタフェースボードが複数チャネルを収容する場合、チャネル番号を特定するために、ダミーラベルにはチャネル番号を付与する。また、複数パス、複数ポートを収容する場合には、パス番号、ポート番号も併せて付与する。
【００３６】
＜付与例１＞
以下に、パケットスイッチ３００の宛先インタフェースボードが、ポート数が１、パス数が１、チャネル数が２４の構成の場合についての付与例を記載する。
【００３７】
ダミーラベルは、「ＤＤＤＤ＿ＤＤＤＤ＿ＤＤＤＤ＿ＤＤＤＣ＿ＣＣＣＣ」（４ビット毎の区切りは読み易くするためであり、区切りには何ら意味はない；付与例２も同様）である。上位１５ビットは、未使用ビット（０固定）Ｄであり、下位５ビット「ＣＣＣＣＣ」がチャネル番号特定用ビットとなっており、０００００〜１０１１１の範囲内の値をとる。例えば、チャネル番号特定用ビットには、「チャネル番号−１」を付与する。
【００３８】
＜付与例２＞
以下に、パケットスイッチ３００の宛先インタフェースボードが、ポート数が８、パス数が８４、チャネル数が９６の構成の場合についての付与例を記載する。
【００３９】
ダミーラベルは、「ＤＤＤＡ＿ＡＡＰＰ＿ＰＰＰＰ＿ＰＣＣＣ＿ＣＣＣＣ」である。上位３ビットは、未使用ビット（０固定）Ｄである。その次の３ビット「ＡＡＡ」がポート番号特定用ビットとなっており、０００〜１１１の範囲内の値をとる。例えば、ポート番号特定用ビットには、「ポート番号−１」を付与する。さらにその次の７ビット「ＰＰＰＰＰＰＰ」は、パス番号特定用ビットとなっており、０００００００〜１０１００１１）の範囲内の値をとる。例えば、パス番号特定用ビットには、「パス番号−１」を付与する。下位側の７ビット「ＣＣＣＣＣＣＣ」は、チャネル番号特定用ビットとなっており、０００００００〜１０１１１１１の範囲内の値をとる。例えば、チャネル番号特定用ビットには、「チャネル番号−１」を付与する。
【００４０】
（Ａ−２）実施形態の動作
次に、実施形態の伝送信号処理装置１の動作を、ＴＤＭインタフェースボード１００のＴＤＭ受信処理部１０１の動作、パケットインタフェースボード２００のパケット受信処理部２０１の動作、パケットスイッチ３００の動作、ＴＤＭインタフェースボード１００のＴＤＭ送信処理部１０２の動作、パケットインタフェースボード２００のパケット送信部２０２の動作の順に説明する。
【００４１】
まず、ＴＤＭインタフェースボード（１００−１）のＴＤＭ受信処理部１０１の動作を説明する。
【００４２】
ＴＤＭ受信部１１０で到来したＴＤＭ信号４００の受信処理を行い、受信処理後のＴＤＭ信号４０１（主信号データ）をパケット化部１２０に与える。パケット化部１２０は、ＴＤＭ信号４０１をＣＥＳｏＰＳＮ（ＲＦＣ５０８６；Ｓｔｒｕｃｔｕｒｅ−ａｗａｒｅ  ＴＤＭ  Ｃｉｒｃｕｉｔ  Ｅｍｕｌａｔｉｏｎ  Ｓｅｒｖｉｃｅ  ｏｖｅｒ  Ｐａｃｋｅｔ  Ｓｗｉｔｃｈｅｄ  Ｎｅｔｗｏｒｋ）等によりカプセル化を行うと共に、ＴＤＭ信号４０１の入力ポート番号、パス番号、チャネル番号をヘッダ検索情報４０２として、受信用テーブル１３０から、宛先ローカルアドレス、イーサネットヘッダのＴｙｐｅ値、ＭＰＬＳ−ＴＰラベルのＬａｂｅｌ値でなるヘッダ情報４０３を検索する。ここで、宛先ローカルアドレスは、パケットスイッチ３００の宛先ボードにスイッチするための情報、イーサネットヘッダのＴｙｐｅ値及びＭＰＬＳ−ＴＰヘッダのＬａｂｅｌ値は、パケットスイッチ３００の宛先ボードが回線を特定するための情報として用いられる。ＭＰＬＳ−ＴＰヘッダのＬａｂｅｌ値は、パケットスイッチ３００の宛先がパケットインタフェースボード（２００−２）の場合には、パケットインタフェースボード（２００−２）からの送信パケット４３１におけるＬａｂｅｌ値が格納されており、ＴＤＭインタフェースボード（１００−２）の場合には、ＴＤＭインタフェースボード（１００−２）からの送信ＴＤＭ信号４１１内の回線を特定するためのダミーラベルが格納されている。また、イーサネットヘッダのＴｙｐｅ値は、パケットスイッチ３００の宛先ボードがパケットインタフェースボード（２００−２）の場合には、ＭＰＬＳパケットの場合に一般的に使われる「０ｘ８８４７が格納されており、宛先ボードがＴＤＭインタフェースボード（１００−２）の場合は、「０ｘＦＦＦＦ」が格納されている。これにより、Ｌａｂｅｌ値かダミーラベルの値かの区別を可能としている。パケット化部１２０は、受信用テーブル１３０からの情報により、パケット化を行い、装置内パケット５００を生成し、パケットスイッチ３００に与える。
【００４３】
次に、パケットインタフェースボード（２００−１）のパケット受信処理部２０１の動作を説明する。
【００４４】
パケット受信部２１０で到来したパケット４２０の受信処理を行い、受信処理後のパケット４２１をヘッダ付け替え部２２０に与える。ヘッダ付け替え部２２０では、パケットの送信元ＭＡＣアドレス及びＭＰＬＳ−ＴＰヘッダのＬａｂｅｌ値をヘッダ検索情報４２２として、受信用テーブル２３０から、宛先ローカルアドレス及びＭＰＬＳ−ＴＰヘッダのＬａｂｅｌ値でなるヘッダ情報４２３を検索する。受信用テーブル２３０に格納されているＭＰＬＳ−ＴＰヘッダのＬａｂｅｌ値は、パケットスイッチ３００の宛先ボードがパケットインタフェースボード（２００−２）の場合には、パケットインタフェースボード（２００−２）からの送信パケット４３１のＬａｂｅｌ値であり、宛先ボードがＴＤＭインタフェースボード（１００−２）の場合には、受信パケット４２０のＬａｂｅｌ値である。ヘッダ付け替え部２２０は、受信用テーブル２３０からの情報により、ヘッダの付け替えを行い、装置内パケット５０１を生成し、パケットスイッチ３００に与える。
【００４５】
次に、パケットスイッチ３００の動作を説明する。
【００４６】
パケットスイッチ３００は、インタフェースボード（１００−１、２００−１）から受信したパケット５００若しくは５０１の宛先ローカルアドレスを参照してスイッチングを行い、出力パケット５０２若しくは５０３をインタフェースボード（１００−２、２００−２）へ送出する。
【００４７】
次に、ＴＤＭインタフェースボード（１００−２）のＴＤＭ送信処理部１０２の動作を説明する。
【００４８】
デパケット化部１４０は、パケットスイッチ３００から受信した装置パケット５０２の、送信元ローカルアドレス、イーサネットヘッダのＴｙｐｅ値、ＭＰＬＳ−ＴＰヘッダのＬａｂｅｌ値をヘッダ検索情報４１２として、送信用テーブル１５０から、ポート番号、パス番号、チャネル番号でなるチャネル情報４１３を検索する。デパケット化部１４０は、デパケット化を行い、ＴＤＭ信号４１０を生成してチャネル情報４１３を伴ってＴＤＭ送信部１６０に送信する。ＴＤＭ送信部１６０は、送信用テーブル１５０から得たポート番号、パス番号、チャネル番号に従い、ＴＤＭ信号４１１を出力する。
【００４９】
最後に、パケットインタフェースボード（２００−２）のパケット送信部２０２の動作を説明する。
【００５０】
ヘッダ付け替え部２４０は、パケットスイッチ３００から受信した装置内パケット５０３の、送信元ローカルアドレス、イーサネットヘッダのＴｙｐｅ値、ＭＰＬＳ−ＴＰヘッダのＬａｂｅｌ値をヘッダ検索情報４３２として、送信用テーブル２５０から、ポート番号、宛先ＭＡＣアドレス、送信元ＭＡＣアドレスでなるヘッダ情報４３３を検索する。ヘッダ付け替え部２４０で、送信用テーブル２５０から得た、宛先ＭＡＣアドレス、送信元ＭＡＣアドレスを付け替え、ポート番号と共にパケット４３０をパケット送信部２６０に与える。パケット送信部２６０は、与えられたパケット４３１を、送信用テーブル２５０から得たポート番号に送信する。
【００５１】
（Ａ−３）実施形態の効果
上記実施形態の伝送信号処理装置によれば、ＴＤＭインタフェースボード若しくはパケットインタフェースボードからパケットスイッチに装置内パケットを送信する際、ＭＰＬＳパケットのフォーマットに統一し、ＴＤＭポート間相互接続の場合には、装置出力側のインタフェースボードの回線を特定するためのダミーラベル（ポート番号、パス番号、チャネル番号等を規定する回線特定情報を含む）の値を、ＭＰＬＳ−ＴＰヘッダのＬａｂｅｌ値に付与することにより、一つのパケットスイッチのみの構成で、ＴＤＭポートとパケットポートとの間、パケットポート相互間のスイッチングは元より、ＴＤＭポート相互間のスイッチングも実現することができる。
【００５２】
ここで、ＴＤＭポートとパケットポートとの間、パケットポート相互間のスイッチングの場合、イーサネットヘッダのＴｙｐｅ値に、ＭＰＬＳパケットの場合に一般的に使われる「０ｘ８８４７」を付与し、ＴＤＭポート相互間のスイッチングの場合には、「０ｘＦＦＦＦ」（ラベルスイッチングで適用されていない他の値を適用しても良い）を付与することで、Ｌａｂｅｌ値かダミーラベル値か否かを判別することができ、上述した多様なスイッチングを適切に実行させることができる。
【００５３】
また、ＴＤＭポートからパケットポートにスイッチングされた、ＴＤＭ信号を変換したパケットは、ＭＰＬＳパケットになっているので、そのまま、ＭＰＬＳ−ＴＰパケット転送方式に従う網に送出することができる。
【００５４】
（Ｂ）他の実施形態
上記実施形態では、当該伝送信号処理装置への入力パケットや当該伝送信号処理装置からの出力パケットが、ＭＰＬＳ−ＴＰヘッダを有するＭＰＬＳパケットであるものを示したが、ＭＰＬＳ−ＴＰヘッダを持たないパケットが入出力パケットであっても良い。この場合、入力段にＭＰＬＳ−ＴＰヘッダの付与部を設け、出力部にＭＰＬＳ−ＴＰヘッダの除去部を設けるようにすれば良い。
【００５５】
上記実施形態では、インタフェース部がインタフェースボード構成のものを示したが、インタフェース部がボード以外（例えば、カードやＬＳＩなど）で構成されていても良いことは勿論である。
【００５６】
上記実施形態では、ボード間のスイッチングを中心に説明したが、各部が上述した処理に加え、他の処理を行うようにしても良い。例えば、パケット受信部２１０がＴＴＬフィールドで規定されている時間を超えた入力パケットを廃棄するようにしても良い。
【符号の説明】
【００５７】
１…伝送信号処理装置、
１００（１００−１、１００−２）…ＴＤＭインタフェースボード、１０１…ＴＤＭ受信処理部、１０２…ＴＤＭ送信処理部、１１０…ＴＤＭ受信部、１２０…パケット化部、１３０…受信用テーブル、１４０…デパケット化部、１５０…送信用テーブル、１６０…ＴＤＭ送信部、
２００（２００−１、２００−２）…パケットインタフェースボード、２０１…パケット受信処理部、２０２…パケット送信処理部、２１０…パケット受信部、２２０…ヘッダ付け替え部、２３０…受信用テーブル、２４０…ヘッダ付け替え部、２５０…送信用テーブル、２６０…パケット送信部、
３００…パケットスイッチ。
【図１】
2014192598.tif 000003
【図２】
2014192598.tif 000004
【図３】
2014192598.tif 000005
【図４】
2014192598.tif 000006
【図５】
2014192598.tif 000007
【図６】
2014192598.tif 000008